(57)【要約】      （修正有）【課題】地震などで敏速に屋外に避難する事の出来ない高齢者の安否確認、健康管理等が出来るバリアフリーな介護管理装置システムの提供。【解決手段】耐震強化ボックス型フレーム１を被介護者住宅の一室に組立て安眠できるシェルター機能を備える事で、地震時いち早くシェルターに避難でき、地震災害時の安否確認が容易に出来る。寝具側に浴槽２９トイレ３０を備えている為にトイレ入浴時歩く事無く使用でき、寝具を覆うカーテン５を設ける事により季節事に変わる気温、夜と朝の急激な温度変化を防ぎ一定の室温を得ることの出来る。テレビカメラモニター１０を用い電話回線を通じ随時、医師、看護士による対話、問診する事で高齢者の不安を解消し、老いて暮らしする人をサポートする。【選択図】図１
2007262875.tif 000002
【特許請求の範囲】
【請求項１】
耐震強度を有する枠組みフレーム部材（１）の天上部に、強固な衝撃に耐える部材（２）を設けた角型枠組みを形成し、住居一室に組み立て設置した事を特徴とした特許請求項１の介護管理装置システム。
【請求項２】
耐震強度を有する枠組みフレーム部材（１）は、Ｌ型アングル形状とし上部下部両端に三角形状部材（３５）を設けた事を特徴とする特許請求項１の介護管理装置システム。
【請求項３】
住宅内一室に、枠組み設置したフレーム部材（１）の外周に防火防炎断熱性部材である外壁部材（４）を取り付けした事を特徴とした特許請求項１の介護管理装置システム。
【請求項４】
耐震強化枠組みフレーム部材（１）外周に取り付けした防炎断熱性を有するカーテン部材（３）枠組み去れたフレーム部材内上部より吊り下げた寝具を覆うカーテン部材（５）を設けた事を特徴とした特許請求項１の介護管理装置システム。
【請求項５】
外壁部材（４）カーテン部材（３）に囲まれた寝具装備品、空調装置を設置した空間内の空気を、睡眠療養に適した温度湿度空気中の酸素濃度、空気の鮮度を得る為の装置部材と火災感知消化警報装置部材を設け電話回線を用い、ナースコールセンター（６）とを結びナースコールセンターで操作管理する事を特徴とした特許請求項１の介護管理装置システム。
【請求項６】
寝具下部に起伏昇降する敷き布団床（８）を設け朝夜、休眠、睡眠の起伏昇降をテレビカメラ、モニター（１０）を介し電話回線を用い起伏昇降装置の操作をナースコールセンター（６）で管理する事を特徴とした特許請求項１の介護管理装置システム。
【請求項７】
枠組み建てられたフレーム部材（１）内寝具周りに健康管理上必要とする、血圧計、体温計血中酸素濃度、脈拍、不正脈等を感知する計測装置部材を設け、電話回線を用いナースコールセンターとを結び被介護人の体調を記録管理し、医師、看護師によるテレビカメラ、モニター（１０）を介し問診をする事を特徴とする特許請求項１の特許請求項１の介護管理装置システム。
【請求項８】
枠組み建てられたフレーム部材（１）に囲まれた室内に寝具側にトイレ洗面具、具浴槽を備えた事を特徴とする特許請求項１の介護管理装置システム。
【請求項９】
フレーム部材（１）の囲まれた一端に被介護者が容易に手が届く位置にナースコールセンターを呼び出すナースコールスイッチ（９）を設け、電話回線を用いナースコールセンターを呼び出す事を特徴とした特許請求項１の介護管理装置システム。
【請求項１０】
枠組み建てられたフレーム部材（１）内に設置した浴槽内のお湯張り、お湯の温度を電話回線で結び浴槽の給排をナースコールセンターで操作管理した事を特徴とした特許請求項１の介護管理装置システム。
【請求項１１】
枠組み建てられたフレーム枠組み部材（１）に囲まれた一端内に、テレビカメラ、モニター（１０）を設け、電話回線を用いナースコールセンターとを結び、健康管理する上で必要とする計測器、冷房暖房器具、浴槽器具を、被介護者との会話による装置の操作管理をする事を特徴とした特許請求項１の介護管理装置システム。
【請求項１２】
枠組み建てられたフレーム枠組み部材（１）に囲まれたフレーム枠床（１１）内に浴槽、洗面器具、トイレを備え、浴槽内床（１２）トイレ床（１３）洗面所床（１４）敷き布団等の床を、昇降する床（２８）を設けた事を特徴とした特許請求項２の介護管理装置システム。
【請求項１３】
枠組み建てられたフレーム枠組み部材（１）内の昇降する床（２８）の昇降部材をワイヤーロープ巻上げ装置（３１）とした事を特徴とする特許請求項２の介護管理装置システム。
【請求項１４】
昇降する床（２８）の昇降装置を水圧、油圧を用いた圧力シリンダー（２５）とした事を特徴とする特許請求項２の介護管理装置システム。
【請求項１５】
床の昇降装置（１５）を電話回線を用い、ナースコールセンターで床の昇降装置（１５）を操作する事を特徴とした特許請求項２の介護管理装置システム。
【請求項１６】
枠組み建てられたフレーム部材（１）で覆われた寝具敷き布団（１６）頭部床に敷き布団シーツ（１７）を収納する装置部材（１８）を設け、敷布団に敷かれた、汚れたシーツを巻き取り収納する装置部材（１９）を設け、電話回線を用いシーツの汚れを巻き取り装置部材の、操作を管理した事を特徴とした特許請求項３の介護管理装置システム。
【請求項１７】
汚れたシーツ（１７）巻き取り装置部材（１９）は、回転装置付きドラム部材（２０）ローラ部材（２１）布ベルト（２２）シーツ取り付け部材（２３）から成りシーツ部材にシーツを取り付けた事を特徴とした特許請求項３の介護管理装置システム。
【請求項１８】
枠組み建てられたフレーム部材（１）外周に設けた防炎断熱性外壁部材（４）は角型に組み建てられたフレーム一方に伸縮収納する事を特徴とする特許請求項４の介護管理装置システム。
【請求項１９】
枠組み建てられたフレーム部材（１）外周部に取り付けしたカーテン部材（３）は、防炎防火性を有する材質で、板状の断熱部材を挿入できる、袋体（２４）構造である事を特徴とする特許請求項５の介護管理装置システム。
【請求項２０】
病院、介護施設等内一室にナースコールセンターを設け、各項に記載した装置部材備品等を、高齢者宅、病後自宅療養を必要とする人の在宅一室に組み建て設置した空間内の装置を維持管理し、高齢者の一人暮らしの不安を解消する各項記載の、部材備品をリース提供する事を特徴とする特許請求項６の介護管理装置システム。
【請求項２１】
被介護者の日常の健康、生活行動をテレビカメラ、モニターを用い記録録画し、ナースコールセンターで管理し、被介護人の安否を心配する、離れて暮らす家族が求める、被介護人の日常の情報をナースコールセンターが電子メール用い配信する事を特徴とする特許請求項７介護管理装置システム。
【請求項２２】
被介護者の日常の健康、生活行動を朝昼夕夜と区切り、生活行動をカメラで監視し、ナースコールセンターで記録録画した静止画、動画を離れて暮らす家族に、定期定時に電子メールを用い配信する事を特徴とする特許請求項７の介護管理装置システム。
【請求項２３】
耐震強度を有する枠組みフレーム部材（１）は、被介護者宅一室内に組み建てて設置し、被介護者の地震災害時の避難場所とし活用する、通常は被介護者の介護認定度に応じて備えた生活装備品、健康を管理する為の計測器装置を備え、被介護者の生活の安否を心配する、離れて暮らす家族、被介護者等が安心して生活をおくる事のできる装置システムを提供する事を特徴とする特許請求項８の介護管理装置システム。
【発明の詳細な説明】
【技術分野】
【０００１】  本発明は、被介護者の日常の健康を電話回線を用い管理し、地震による倒壊物から被介護人を守るもので有る。
【背景技術】
【０００２】  核家族化が定着し親子で有りながら諸般の事情で、介護する為に同居できずに離れて暮らす家族が多く、年老いて暮らす両親、一人暮らしする親を介護できず健康安否確認等が出来ないため、悩み不安を抱えながら暮らしている人が多くなってきている。【０００３】  高齢化が急速に進み、高齢の為に足腰が衰え高齢者を引き受ける施設が希薄になり、在宅での生活を余儀なくされている。【０００４】  高齢化が進み男性は三人に二人、人女性は二人に一人、が癌疾患と言われ、手術入院療養期間中、後に控える癌疾患等の患者数が多い為、入院期間が短く自宅療養を勧められている。【０００５】  しかし、手術後自宅療養には、投与された薬の管理、日常の体調管理が必要とし一定期間病院に通い診査を受けなければならない健康な体力が回復するまで療養期間が必要とする。【０００５】  年々急速に高齢者人口が増え高齢の為、足腰が衰え家庭内の段差に躓き転倒などでケガの事故が発生している。【０００６】  足腰が衰え風呂場と、浴槽床の段差、トイレの床と便座の腰掛けようとする中腰の姿勢が、腰痛を患っている方には生活をする上で大きな障害となっている、季節の気温の変化に体がついていけず、体が冷えるために発病する神経痛、膝、腰痛等高齢による生じる頻尿の為トイレの回数が多く歩行障害を持つ人には苦痛を伴いながら暮らしている。【０００７】  高齢の為、年を取るに従い物忘れが多く火気を扱う事が出来なくなる高齢者が多くいる。【０００８】  一人暮らしの高齢者が、火災による焼死する痛ましい事故も多く発生している。【０００９】  核家族化が進み高齢者が益々多くなり、老いて暮らす高齢者一人暮らしの高齢者の安否、健康管理が大きな社会問題となってきている。【００１０】  これらの老いて暮らす高齢者の安否を遠く離れた家族がテレビカメラを用い電話回線を活用するシステムもある。【００１１】  高齢者が一人暮らしをしている人へ食事を提供する介護サービス等が有る。
【特許文献】特願２００４−０５１４５３
【特許文献】特願２００２−３１９２０５
【発明の開示】
【発明が解決しようとする課題】
【００１２】  解決しようとする問題点は、老いて暮らす人の日常日中の介護は、介護者による介護等が有る為、被介護者の健康を管理する事が出来るが、夜間の管理には介護人が不在の為に、夜トイレに行くときなどで転倒する事故が発生していた。【００１３】  親子でありながら諸般の事情で介護同居できず、離れて暮らす家族が多く、高齢で暮らす介護を必要とする両親、一人暮らしする親の健康、安否確認等が出来ずにいる。【００１４】  又、病気療養を自宅で過ごしながら定期的に病院に通い、医師による診断を受けている人が多くいる。【００１５】  病気療養を自宅で過ごす方の体調を、医看護士が昼夜を通し病状の経緯を知る事の出来ない点にある。
【課題を解決しようとする課題】
【００１６】  本発明は被介護者宅一室に、本発明の介護管理装置システムの耐震化強化フレーム部材装置備品を組立て設置し、ナースコールセンターで被介護者の体調の変化を測定器を用い検診し、テレビカメラ、モニターを介し医師又は、看護士のよる問診の結果を記録録画し、日常の行動をテレビカメラ監視する。
被介護者から離れて暮らす家族が求める時間時刻の、健康を記録したデータ、日常の生活を録画した画像を電子メールを用いて配信する。
組み立てられた枠組みフレーム内一室の空気床の昇降を管理し生活できる装備品を備え、昼夜を通し被介護者の体調の変化を電話回線を通い、ナースコールセンターで記録管理する、これらの装置装備品を随時、維持清掃管理する事を最も主要な特徴としている。
【効果】
【００１７】  本発明の介護管理装置システムを用いると、自宅療養、年老いて暮らし高齢者の日常生活の不安を、ナースコールセンターとのテレビモニターを介する対話で取り除きサポートする事が出来、高齢者が住み慣れた住まいで自立生活をする事が出来る。
介護管理装置システム内の生活装備品を昇降する床を設ける事により年老いて足腰が衰えても歩行する事無く装備品を容易に使用できる。
施設病院等に頼る事がなく生活ができ、地震災害時には、シェルターと成る機能を有する利点が有る。
【発明を実施する為の最良の形態】
【００１８】  枠組み建てられた耐震強化フレーム内に設けたテレビカメラ、モニターを活用し朝夕を問わず必要とする時間時刻、テレビカメラモニターを介しナースコールセンターと対話する事で被介護者に、安心感を与えるよう装置装備品を管理設置し、フレーム内床を昇降する事により装備品を容易に使用できる事を最小限の装置備品で実現した。
【実施例１】
【００１９】  図１は、本発明の介護管理装置システムの装備品を配置した全体斜視図である。【００２０】  本発明の介護管理装置システムは、被介護者宅一室に組み立てられた寝具備品等を覆い囲みする、枠組み建てられたフレーム部材（１）は、地震に耐える強度を有し、地震による住まいの天井からの倒壊物より、睡眠中の被介護人を守る強度のフレーム部材を有している。【００２１】  フレーム部材（１）の天上部には、家屋の天上部の倒壊した落下物の衝撃に耐える強度な部材（２）を取り付けする。【００２２】  フレーム部材（１）の構造形状等は、丸型パイプ部材、角型パイプ部材形状、又は、Ｌ型アングル形状等としフレーム部材が地震等に耐える形状としていれば、どの様な構造物を用いても良い。【００２３】    耐震強度を有する枠組みフレーム部材（１）は、Ｌ型形状材質は鉄、アルミ、木材を圧縮した修製材等を用いたもので、フレーム部材（１）は組み立てられた枠組み部材の柱として用いる。【００２４】  組み立てられた枠組の横揺れを防止する、為のフレーム部材（１）上部下部に支持介機能を有する為の三角形状の板状部材を設け、枠組み天井部材、床部材にボルト、木ネジ等を用い組み立てる。【００２５】  フレーム部材（１）の材質は鉄、アルミＬ型アングルとし部屋の大きさの高さ長さとして上部下部に三角形状板部材を溶接しても良い。【００２６】  枠組みフレーム部材（１）は、スチール、アルミ合金材質の部材を用い人が容易に持つ運び組み立てられる重さの部材とし、地震に耐える部材であれば、どの様な材質、例えば木材を圧縮し修正した強度を有する修製材を用いても良い。【００２７】フレーム部材（１）の外周に設けた防火防炎断熱性のカーテン部材（３）は、アルミ箔発泡スチロール等を張り合わせたシート状の部材に防炎塗料を塗布し用いた部材を使用しても良い。【００２８】  防火断熱性を有するカーテン部材（３）を化繊維等の部材の布地を用い袋体（２４）に製作し既存の断熱材であるスタイロホーム、発泡シチロール、グラスウール等の板状の断熱材を挿入する袋体（２４）として用いる。【００２９】  寝具覆うカーテン部材（５）は、睡眠時仰向けし手を上げてもカーテン部材に触れない程度の覆う高さで、手許ロープを引く事で頭部より足下部に伸び、寝具全体を覆う事が出来る圧迫感を感じさせない色彩とし、日中頭部又は、足下部に縮む構造のカーテン部材とし、枠組み建てられたフレーム部材天井より吊り下げ設置した部材である。【００３０】  寝具を覆うカーテン部材（５）内、枠組み建てられた外壁部材（２）で囲まれた室内の睡眠時の、空気の淀みを換気する部材を設ける。【００３１】  寝具を覆うカーテン部材（５）の伸縮を、電動モーターを用い手許に操作するスイッチを設けても良い。【００３２】  寝具を覆うカーテン部材（５）は、通気性を有すながら、体温より発生する放射熱を反射する保温性部材をカーテン部材に用い、季節によりカーテン部材を替えて快適な睡眠温度を得ても良い。【００３３】  住宅内一室に枠組み建てられたフレーム部材（１）の外周部に設けた外壁部材（４）と寝具を覆うカーテン部材（５）を二重に設ける事により、冬期間夜朝間の急激な温度差による風邪の予防する事が出来る。
【実施例２】
【００３４】  組み立てられた枠組みフレーム部材（１）に囲まれたフレーム床（１１）にトイレ、洗面器具、浴槽等の備品を設置し、これら装備品の周りの床を圧力シリンダー付き昇降する床（２８）ワイヤー巻上げ床昇降装置（３１）ボルト回転昇降装置等活用し昇降する床（２８）に寝具の敷き布団を敷く。【００３５】  昇降する床（２８）を設ける事により高齢の為、足腰が衰えた人、腰痛を患っている方が、装備している備品を用意に使用できる、任意の床の高さが得られる為、立ち上がる歩行する等の動作を必要としない為介護者を必要とせず自立生活をおくる事ができる。【００３６】  昇降する床（２８）の、床昇降と連動する起伏する部材（２６）を、敷き布団下部に設け設置する。図２の符号８【００３７】  床昇降装置は、既存の昇降装置を用いるがトイレ、洗面所、浴槽内床、寝具床を伸縮昇降する圧力シリンダー（２５）を用いても良い。【００３８】  床昇降圧力シリンダーの駆動圧力源の圧力装置部材を、トイレ、洗面器具、浴槽に配管されている水道水の水圧を活用し、伸縮昇降する圧力シリンダーとして用いても良い。【００３９】  床昇降装置は、フレーム部材（１）の天井部からワイヤーロープ（３２）を用いワイヤーロープ巻き取り昇降装置（３１）を用い昇降する。【００４０】  枠組み立てられた昇降する床のガイドレールを回転するボルトを用いた昇降装置としても良い。【００４１】  昇降する床を浴槽内床と連動し昇降するようにすると、浴槽床に座ったまま浴槽に入浴が出来る。図２の符号１２【００４２】  浴槽、トイレを使用する場合は、昇降床に腰掛、腰の位置を変える事で歩行しなくとも浴槽トイレを使用できる。【００４３】  浴槽内床内（１２）は、立ち上がり腰掛ける昇降する床と連動し同一の高さになる昇降する浴槽床で有る為、腰を移動し浴槽床に移り浴槽内床（１２）を降下しお湯に浸る。【００４４】  浴槽床内床（１２）は、すのこ状の水切りが出来る程度の間隔に隙間を設けている。
トイレを使用する際は、昇降床と便座の高さが同程度の高さに成っている為に、昇降床に腰掛、腰の位置を変えるだけで、足腰が衰えた方、腰痛を持つ方が最も障害となる、中腰の姿勢をする必要がなく使用ができる。図１の符号３０図２の符号３０【００４５】  腰痛が患っても立ち上がり歩行が容易にでき、起き上がりでの姿勢が障害となり寝たきりになる状態に陥るのを防ぐ事が出来る。【００４６】  起伏昇降する敷き布団床は、睡眠時は、フレーム設置床トイレ床、洗面所、床浴槽床等と同程度の床に縮む為、掛け布団の滑り落ち、被介護者の布団からの転落事故がない。図１【００４７】  被介護者が敷き布団より起床する場合は、昇降する敷き布団下部床に床昇降時に起伏を伴う起伏部材（２６）を設置すると、寝具より起き上がりが容易にでき腰掛立ち上がる高さに敷き布団が上昇する為、歩行が容易に出来る。図２【００４８】  枠組み建てられたフレーム部材（１）内に、トイレ、洗面器具、浴槽を等の生活備品を設けることで、深夜のトイレを使用する歩行の際の段差につまずき転倒する事故がなくなる。【００４９】  昇降する床の操作、浴槽内のお湯張り給湯排水等は、被介護者が手許スイッチ等を用い操作するが、テレビカメラ、モニターを介しナースコールセンターとの会話による、ナースコールセンターで遠隔操作してもよい。【００５０】  上記記述したように、床が昇降すると、高齢者、病気療養者が腰掛け横たわる等の休養できる、優しい寝具装備品になり介護製品の整った介護管理装置のユニットができる。
【実施例３】
【００５１】  敷き布団頭部下端に洗濯し収納された敷布シーツ収納部材（１８）と、敷き布団に敷かれ汚れたシーツを、巻き取り収納装置部材（１９）を足下部下端に設け、汚れたシーツを巻き取り収納回収が出来る装置部材で有る。【００５２】  シーツ収納装置部材（１８）は、ローラー部材（２１）間を布ベルト部材（２２）で結び布ベルト一端にシーツを取り付ける部材（２３）で構成されたシーツ収納部材（１８）である。【００５３】  ローラー間に設けた布ベルトを伸縮するゴム性ベルトを用いてもよい。【００５４】  シーツ巻取り装置部材（１９）は回転装置付きドラム部材（２０）とローラー部材（２１）布ベルト部材（２２）シーツ取り付け部材（２３）で成りシーツを取り付け汚れたシーツを巻き取る装置部材（１９）で有る。【００５５】  汚れたシーツを巻き取り収納装置事、回収しクリーニングをする部材装置で有る。【００５６】  上記記述した、カーテン部材（５）の伸縮収納装置、床の昇降装置（１５）シーツ巻き取り装置（１９）を被介護者が操作しても良いが、電話回線を用いナースコールセンターでこれらの装置をテレビカメラ、モニターを活用し対話しながらコールセンターで遠隔操作管理しても良い。
【実施例４】
【００５７】  組み立てられた枠組みフレーム部材（１）に囲まれた一端に、テレビカメラ、モニターを被介護者が見える位置に設け、ナースコールセンター呼び出すコールスイッチ（９）を押しナースコールセンターを呼び出し、専門医看護士によるモニターを介し問診による体調を診断する。【００５８】  テレビカメラを常時電話回線で結び、ナースコールセンターで被介護者の体調の変化、異常な行動を管理監視し対応で切る体制を整えておく。
【実施例５】
【００５９】  年々、高齢化人口が増え、高齢者を受け入れる施設が希薄になり、又核家族化が定着し、高齢ながらも一人で暮らす人が益々多くなっている。【００６０】  組み立られた枠組み一室内の、被介護者の日常の健康管理上必要とする計器計測器を用い、枠組み内の被介護者の行動を、テレビカメラを用いナースコールセンターで記録録画し、離れて暮らす被介護者の健康生活の安否を心配する家族が求める時刻に応じて、記録した健康データ、容姿を写した画像を電子メールで配信する。【００６１】  被介護者の体調の検診を枠組フレーム内に設置した計測器テレビカメラを用い朝、昼、夕、夜と区切り記録録画し、ナースコールセンターで監視管理し、被介護者を心配する、離れて暮らす家族に定時刻に電子メールを用いデータ化された画像、静止画、動画として配信する。【００６２】  又、被介護者、ナースコールセンター、家族とをテレビモニターを用い対話できる様にする事で、双方に安心感を与える。【００６３】  上記記述した項目部材備品装置を介護者宅一室に枠組み設置をする事で、地震時いち早く避難のできる避難場所のシェルターとして活用し、日常は高齢者が必要とした生活用品を備え、自立し住みなれた住まいで、不安を取り除き安心して暮らす生活をおくる為の装置装備品を揃えたシステムを提供する。
【産業上の応用例】
【００６４】  年々、高齢化人口が増え、高齢者を受け入れる施設が希薄になり、又各家族化が定着し、高齢ながらも一人で暮らす人が年々多くなって来る。
地震災害時の足腰の衰えた高齢者一人暮らしの避難誘導、日常の安否健康管理が大きな社会問題になる。
【００６５】  地震時の高齢者の避難が、住み慣れた住まいの一室に耐震強化フレームの枠組みが設けている為、いち早く避難できる避難場所のシェルター用いる事が出来る。
【００６６】  同居介護人がおり介護認程度に応じて、ナースコールセンターを必要としない被介護者は、介護管理システムの用いず装置装備品のみでも使用でき。
【００６７】  年を重ねる事に介護認定度が進むに連れ装置装備品を追加設置できる装置システムである。
【００６８】  近年電話回線の光りケーブル化が進み、画像情報量の送受信料金が大幅に値下げされ二十四時間通してテレビカメラモニター用いた被介護者，病気療養者の健康管理がより詳細に診断でき、国の医療改革が長期滞在型入院患者自宅療養を勧める方向にあり、本発明の介護管理装置システムが医療改革の一助になる。
【図面の簡単な説明】
【００６９】
【図１】本発明の介護管理装置システムの装備品配置斜視図。
【図２】本発明の介護管理装置システムの床に昇降起伏する床を設けた図で床が昇降するのに伴い浴槽床も上昇した全体斜視図。
【図３】フレームに吊り下げたカーテン部材が寝具を覆う状況斜視図。
【図４】シーツ収納する装置部材、シーツ巻き取り収納装置部材斜視図で有る。
【図５】枠組み立てられたワイヤー巻取り昇降する床設置図、昇降する床上昇工程略図。
【図６】本発明の介護管理装置システムの装備品構成設置組立て斜視図。
【図７】組み立てられた枠組みフレーム内の昇降する床の稼動斜視図
【図８】フレーム部材（１）の上部下部に三角形状部材（３５）を設けたフレーム組立て斜視図
【図９】圧力シリンダーを用いたフレーム枠内に設置する昇降する床（２８）の斜視図
【図１０】既存の板状断熱材を挿入する袋体（２４）の斜視図
【符号の説明】
【００７０】１フレーム部材    ２衝撃に耐える部材    ３カーテン部材    ４外壁部材
５寝具を覆うカーテン部材    ６ナースコールセンター    ７敷き布団
８起伏昇降する敷き布団床    ９ナースコールスイッチ    １０テレビ
カメラ、モニター    １１フレーム枠床    １２浴槽床    １３トイレ床
１４洗面所床    １５床の昇降装置    １６寝具敷き布団    １７シーツ
１８収納する装置部材    １９巻き取り収納装置部材    ２０ドラム
２１ローラー部材    ２２布ベルト    ２３シーツ取り付け部材    ２４袋体
２５圧力シリンダー    ２６起伏部材    ２７浴槽床    ２８昇降する床
２９浴槽    ３０トイレ    ３１ワイヤー巻上げ床昇降装置    ３２ワイヤーロープ
３３床昇降ガイドレール    ３４手摺り    ３５三角形状部材
【図１】
2007262875.tif 000003
【図２】
2007262875.tif 000004
【図３】
2007262875.tif 000005
【図４】
2007262875.tif 000006
【図５】
2007262875.tif 000007
【図６】
2007262875.tif 000008
【図７】
2007262875.tif 000009
【図８】
2007262875.tif 000010
【図９】
2007262875.tif 000011
【図１０】
2007262875.tif 000012